(57)【要約】【課題】使用者が容器本体を把持する必要なく液状糊を塗布し続けることができるようにする。【解決手段】液状糊１を収容した容器本体２と、容器本体２内に収容された液状糊１を塗布するための塗布部材３とを具備する液状糊容器において、液状糊１を保持可能な材料によって塗布部材３を形成し、容器本体２内に収容された液状糊１に塗布部材３の一部を浸漬し、塗布部材３の上面を容器本体２の上端部より上側に突出させた。好ましくは、塗布部材３の上面と下面とを連通する穴を形成し、その穴と塗布部材２の側面とを連通する溝を形成した。【選択図】図１
2007021785.tif 000002
【特許請求の範囲】
【請求項１】
液状糊を収容した容器本体と、前記容器本体内に収容された液状糊を塗布するための塗布部材とを具備する液状糊容器において、液状糊を保持可能な材料によって前記塗布部材を形成し、前記容器本体内に収容された液状糊に前記塗布部材の一部を浸漬し、前記塗布部材の上面を前記容器本体の上端部より上側に突出させたことを特徴とする液状糊容器。
【請求項２】
前記塗布部材の上面と下面とを連通する穴を形成したことを特徴とする請求項１に記載の液状糊容器。
【請求項３】
前記穴と前記塗布部材の側面とを連通する溝を形成したことを特徴とする請求項２に記載の液状糊容器。
【請求項４】
前記塗布部材の上面に凹凸を形成したことを特徴とする請求項１〜３のいずれか一項に記載の液状糊容器。
【請求項５】
前記容器本体に対して前記塗布部材を固定するための固定部材を前記容器本体の上側に配置し、前記固定部材に貫通穴を形成し、前記貫通穴を塞ぐための栓部材を設けたことを特徴とする請求項１〜４のいずれか一項に記載の液状糊容器。
【請求項６】
前記容器本体に対して前記塗布部材を固定するための固定部材を前記容器本体の上側に配置し、前記固定部材および／または前記容器本体を透明な材料によって形成したことを特徴とする請求項１〜５のいずれか一項に記載の液状糊容器。
【請求項７】
前記容器本体に対して螺合結合可能な蓋部材を設け、前記蓋部材の側面にリブを設けたことを特徴とする請求項１〜６のいずれか一項に記載の液状糊容器。
【請求項８】
前記塗布部材を覆うための蓋部材を設け、前記蓋部材の上面と、前記容器本体の下面とを相補形状に形成したことを特徴とする請求項１〜７のいずれか一項に記載の液状糊容器。
【請求項９】
前記容器本体の下面に補強用リブを設けたことを特徴とする請求項８に記載の液状糊容器。
【請求項１０】
前記容器本体に対して前記塗布部材を固定するための固定部材を前記容器本体の上側に配置し、前記固定部材の上面の内縁部をテーパ状に形成したことを特徴とする請求項１〜９のいずれか一項に記載の液状糊容器。
【請求項１１】
前記塗布部材を覆うための蓋部材を設け、前記塗布部材の穴と嵌合可能なピンを前記蓋部材に設けたことを特徴とする請求項２〜１０のいずれか一項に記載の液状糊容器。
【請求項１２】
前記蓋部材のピンを前記蓋部材の中心に配置したことを特徴とする請求項１１に記載の液状糊容器。
【請求項１３】
前記蓋部材のピンの外径を前記塗布部材の穴の内径より大きくしたことを特徴とする請求項１１又は１２に記載の液状糊容器。
【請求項１４】
前記容器本体に対して前記塗布部材を固定するための固定部材を前記容器本体の上側に配置し、前記塗布部材を覆うための蓋部材を設け、前記固定部材の上面と協働してシール部を構成するための突起を前記蓋部材に設けたことを特徴とする請求項１〜１３のいずれか一項に記載の液状糊容器。
【請求項１５】
前記塗布部材を支持するために前記容器本体に形成された支持面の外径を前記塗布部材の外径より大きくし、前記支持面のうち、前記塗布部材の外縁より外側の部分を内側に傾斜させたことを特徴とする請求項１〜１４のいずれか一項に記載の液状糊容器。
【発明の詳細な説明】
【技術分野】
【０００１】
本発明は、液状糊を収容した容器本体と、容器本体内に収容された液状糊を塗布するための塗布部材とを具備する液状糊容器に関し、特には、容器本体を把持する必要なく液状糊を塗布し続けることができる液状糊容器に関する。
【背景技術】
【０００２】
従来から、液状糊を収容した容器本体と、容器本体内に収容された液状糊を塗布するための塗布部材とを具備する液状糊容器が知られている。この種の液状糊容器の例としては、例えば特開２００１−２６０５９５号公報に記載されたものがある。特開２００１−２６０５９５号公報に記載された液状糊容器では、その不使用時に容器本体内の液状糊が塗布部材を介して漏れ出してしまうのを防止するために、塗布部材を覆うように構成された蓋体が更に設けられている。
【０００３】
詳細には、特開２００１−２６０５９５号公報に記載された液状糊容器の使用時には、使用者によって、蓋体が容器本体から取り外され、塗布部材が下側に向けられる。その結果、容器本体内の液状糊が、自重によって塗布部材の側に移動し、塗布部材に隣接せしめられる。次いで、使用者によって、容器本体が押圧される。つまり、容器本体が軽く押し潰される。その結果、容器本体内の液状糊が、塗布部材を介して押し出され、被塗布物に塗布される。
【０００４】
もし仮に、塗布部材を上側に向けたまま液状糊を被塗布物に塗布し続けることができれば、液状糊容器の使用時に使用者は容器本体を把持する必要がなくなるため、液状糊を塗布する作業の効率を向上させることができると考えられる。
【０００５】
ところが、特開２００１−２６５０５９５号公報に記載された液状糊容器の場合には、その塗布部材を上側に向けると、容器本体内の液状糊が自重によって下側に移動し、その結果、容器本体内の下側に移動した液状糊と塗布部材との間に空気が介在してしまう。そのため、容器本体内の液状糊が塗布部材に補給されず、それゆえ、塗布部材から被塗布物に液状糊を塗布し続けることができない。
【０００６】
【特許文献１】特開２００１−２６５０５９５号公報
【発明の開示】
【発明が解決しようとする課題】
【０００７】
前記問題点に鑑み、本発明は、容器本体を把持する必要なく液状糊を塗布し続けることができる液状糊容器を提供することを目的とする。
【課題を解決するための手段】
【０００８】
請求項１に記載の発明によれば、液状糊を収容した容器本体と、前記容器本体内に収容された液状糊を塗布するための塗布部材とを具備する液状糊容器において、液状糊を保持可能な材料によって前記塗布部材を形成し、前記容器本体内に収容された液状糊に前記塗布部材の一部を浸漬し、前記塗布部材の上面を前記容器本体の上端部より上側に突出させたことを特徴とする液状糊容器が提供される。
【０００９】
請求項２に記載の発明によれば、前記塗布部材の上面と下面とを連通する穴を形成したことを特徴とする請求項１に記載の液状糊容器が提供される。
【００１０】
請求項３に記載の発明によれば、前記穴と前記塗布部材の側面とを連通する溝を形成したことを特徴とする請求項２に記載の液状糊容器が提供される。
【００１１】
請求項４に記載の発明によれば、前記塗布部材の上面に凹凸を形成したことを特徴とする請求項１〜３のいずれか一項に記載の液状糊容器が提供される。
【００１２】
請求項５に記載の発明によれば、前記容器本体に対して前記塗布部材を固定するための固定部材を前記容器本体の上側に配置し、前記固定部材に貫通穴を形成し、前記貫通穴を塞ぐための栓部材を設けたことを特徴とする請求項１〜４のいずれか一項に記載の液状糊容器が提供される。
【００１３】
請求項６に記載の発明によれば、前記容器本体に対して前記塗布部材を固定するための固定部材を前記容器本体の上側に配置し、前記固定部材および／または前記容器本体を透明な材料によって形成したことを特徴とする請求項１〜５のいずれか一項に記載の液状糊容器が提供される。
【００１４】
請求項７に記載の発明によれば、前記容器本体に対して螺合結合可能な蓋部材を設け、前記蓋部材の側面にリブを設けたことを特徴とする請求項１〜６のいずれか一項に記載の液状糊容器が提供される。
【００１５】
請求項８に記載の発明によれば、前記塗布部材を覆うための蓋部材を設け、前記蓋部材の上面と、前記容器本体の下面とを相補形状に形成したことを特徴とする請求項１〜７のいずれか一項に記載の液状糊容器が提供される。
【００１６】
請求項９に記載の発明によれば、前記容器本体の下面に補強用リブを設けたことを特徴とする請求項８に記載の液状糊容器が提供される。
【００１７】
請求項１０に記載の発明によれば、前記容器本体に対して前記塗布部材を固定するための固定部材を前記容器本体の上側に配置し、前記固定部材の上面の内縁部をテーパ状に形成したことを特徴とする請求項１〜９のいずれか一項に記載の液状糊容器が提供される。
【００１８】
請求項１１に記載の発明によれば、前記塗布部材を覆うための蓋部材を設け、前記塗布部材の穴と嵌合可能なピンを前記蓋部材に設けたことを特徴とする請求項２〜１０のいずれか一項に記載の液状糊容器が提供される。
【００１９】
請求項１２に記載の発明によれば、前記蓋部材のピンを前記蓋部材の中心に配置したことを特徴とする請求項１１に記載の液状糊容器が提供される。
【００２０】
請求項１３に記載の発明によれば、前記蓋部材のピンの外径を前記塗布部材の穴の内径より大きくしたことを特徴とする請求項１１又は１２に記載の液状糊容器が提供される。
【００２１】
請求項１４に記載の発明によれば、前記容器本体に対して前記塗布部材を固定するための固定部材を前記容器本体の上側に配置し、前記塗布部材を覆うための蓋部材を設け、前記固定部材の上面と協働してシール部を構成するための突起を前記蓋部材に設けたことを特徴とする請求項１〜１３のいずれか一項に記載の液状糊容器が提供される。
【００２２】
請求項１５に記載の発明によれば、前記塗布部材を支持するために前記容器本体に形成された支持面の外径を前記塗布部材の外径より大きくし、前記支持面のうち、前記塗布部材の外縁より外側の部分を内側に傾斜させたことを特徴とする請求項１〜１４のいずれか一項に記載の液状糊容器が提供される。
【発明の効果】
【００２３】
請求項１に記載の液状糊容器では、容器本体内に収容された液状糊を塗布するための塗布部材が、例えばスポンジのような液状糊を保持可能な材料によって形成されている。また、例えば塗布部材の下側半分のような、塗布部材の一部が、容器本体内に収容された液状糊に浸漬せしめられている。そのため、塗布部材のうち、例えば塗布部材の上側半分のような、液状糊に浸漬せしめられていない部分にも、毛細管現象によって液状糊が保持されている。更に、請求項１に記載の液状糊容器では、液状糊が保持されている塗布部材の上面が、容器本体の上端部より上側に突出せしめられている。
【００２４】
そのため、請求項１に記載の液状糊容器によれば、使用者は、容器本体を把持する必要なく、容器本体の上端部より上側に突出せしめられている塗布部材の上面に被塗布物を当接させることにより、塗布部材の上面に保持されている液状糊を被塗布物に塗布することができる。詳細には、容器本体内に収容された液状糊が毛細管現象によって塗布部材の上面に補給し続けられるため、使用者は、容器本体を把持することなく例えば机上に載置したままで、液状糊を被塗布物に塗布し続けることができる。
【００２５】
塗布部材の上面から液状糊が被塗布物に塗布されると、容器本体内に収容された液状糊が毛細管現象によって塗布部材の上面に補給される。その結果、容器本体の内側から塗布部材の上面に補給された液状糊の分だけ、容器本体の内側の空間の容積が増加する。一方、液状糊を保持している塗布部材は気密になっているため、容器本体の外側の空気は塗布部材を通過して容器本体の内側に移動することができない。そのため、塗布部材の上面から液状糊が塗布し続けられると、容器本体の内側の空間の容積が増加した分だけ、容器本体の内側の空間の圧力が低下してしまう。それゆえ、容器本体内に収容された液状糊が毛細管現象によって塗布部材の上面に補給されづらくなってしまう。
【００２６】
この点に鑑み、請求項２及び３に記載の液状糊容器では、塗布部材の上面と下面とを連通する穴が形成され、好ましくは、その穴と塗布部材の側面とを連通する溝が形成されている。つまり、請求項２及び３に記載の液状糊容器では、容器本体内に収容された液状糊が毛細管現象によって塗布部材の上面に補給されると、塗布部材の上面に補給された液状糊の量に相当する量の空気が、容器本体の外側から塗布部材の穴および溝を介して容器本体の内側に移動せしめられる。そのため、容器本体の内側の空間の圧力が低下するのに伴って、容器本体内に収容された液状糊が塗布部材の上面に補給されづらくなってしまうのを回避することができる。
【００２７】
塗布部材の上面が平坦に形成されている場合には、被塗布物が塗布部材の上面に貼り付いてしまい、塗布部材の上面から被塗布物を剥がしづらくなってしまうおそれがある点に鑑み、請求項４に記載の液状糊容器では、塗布部材の上面に凹凸が形成されている。そのため、液状糊が塗布された被塗布物を塗布部材の上面から容易に剥がすことができる。
【００２８】
請求項５に記載の液状糊容器では、容器本体に対して塗布部材を固定するために容器本体の上側に配置された固定部材に貫通穴が形成され、その貫通穴を塞ぐための栓部材が設けられている。つまり、請求項５に記載の液状糊容器の使用時には、固定部材の貫通穴が栓部材によって塞がれ、容器本体内に収容された液状糊がその貫通穴を介して容器本体の外側に漏れ出してしまうのが回避されている。一方、請求項５に記載の液状糊容器の液状糊の補給時には、栓部材が貫通穴から取り外され、その貫通穴を介して液状糊が容器本体内に補給される。そのため、請求項５に記載の液状糊容器によれば、塗布部材を容器本体から取り外す必要なく、液状糊を容器本体内に補給することができる。すなわち、使用者が塗布部材に触れて手を汚す必要なく、液状糊を容器本体内に補給することができる。
【００２９】
請求項６に記載の液状糊容器では、容器本体に対して塗布部材を固定するために容器本体の上側に配置された固定部材および／または容器本体が透明な材料によって形成されている。そのため、容器本体内に収容された液状糊の残量を容易に確認することができる。
【００３０】
請求項７に記載の液状糊容器では、容器本体に対して螺合結合可能な蓋部材の側面にリブが設けられている。そのため、螺合結合せしめられた容器本体と蓋部材とが液状糊によって固着している場合であっても、容器本体と蓋部材とを容易に分離することができる。
【００３１】
請求項８に記載の液状糊容器では、塗布部材を覆うために設けられた蓋部材の上面と、容器本体の下面とが相補形状に形成されている。そのため、複数の液状糊容器を積み重ねることができる。
【００３２】
請求項９に記載の液状糊容器では、容器本体の下面に補強用リブが設けられている。そのため、多数の液状糊容器が積み重ねられるのに伴って、容器本体の下面が変形してしまうのを抑制することができる。
【００３３】
請求項１０に記載の液状糊容器では、容器本体に対して塗布部材を固定するために容器本体の上側に配置された固定部材の上面の内縁部がテーパ状に形成されている。詳細には、固定部材の上面の内縁部が塗布部材の側に傾斜せしめられている。そのため、塗布部材から滲み出た液状糊を塗布部材に戻すことができる。
【００３４】
請求項１１に記載の液状糊容器では、塗布部材を覆うための蓋部材が設けられ、塗布部材の穴と嵌合可能なピンがその蓋部材に設けられている。そのため、液状糊容器の不使用時に、蓋部材によって塗布部材を覆っておくことにより、塗布部材の穴に蓋部材のピンが嵌合せしめられ、それにより、塗布部材の穴内で液状糊が固着してしまうのを回避することができる。
【００３５】
請求項１２に記載の液状糊容器では、蓋部材のピンが蓋部材の中心に配置されている。詳細には、塗布部材が蓋部材によって覆われると、塗布部材の穴が蓋部材のピンと嵌合せしめられるように、蓋部材のピンが蓋部材の中心に配置されている。そのため、塗布部材に対する蓋部材の回転方向位置を調整する必要なく、塗布部材の穴に蓋部材のピンを嵌合させることができる。
【００３６】
請求項１３に記載の液状糊容器では、蓋部材のピンの外径が塗布部材の穴の内径より大きくされている。そのため、液状糊容器の不使用時に、蓋部材によって塗布部材を覆っておくことにより、塗布部材の穴にピンが嵌合せしめられ、それにより、塗布部材の穴が塗布部材の穴以外の部分と同様に気密に維持される。その結果、液状糊容器の不使用時に液状糊容器が上下逆向きにされた場合であっても、塗布部材の穴から液状糊が漏れ出してしまうのを回避することができる。
【００３７】
請求項１４に記載の液状糊容器では、容器本体に対して塗布部材を固定するために容器本体の上側に配置された固定部材の上面と協働してシール部を構成するための突起が、塗布部材を覆うための蓋部材に設けられている。そのため、液状糊容器の不使用時に、蓋部材によって塗布部材を覆っておくことにより、固定部材の上面と蓋部材の突起とが協働せしめられシール部が構成される。それにより、固定部材と蓋部材との間がシールされる。その結果、液状糊容器の不使用時に液状糊容器が上下逆向きにされた場合であっても、固定部材と蓋部材との間から液状糊が漏れ出してしまうのを回避することができる。
【００３８】
請求項１５に記載の液状糊容器では、塗布部材を支持するために容器本体に形成された支持面の外径が塗布部材の外径より大きくされ、その支持面のうち、塗布部材の外縁より外側の部分が内側に傾斜せしめられている。そのため、容器本体内の液状糊の残量が少ない時に、その傾斜を利用して容器本体内の液状糊を内側に移動させ、塗布部材に保持させることができる。
【発明を実施するための最良の形態】
【００３９】
以下、本発明の液状糊容器の第１の実施形態について説明する。図１は第１の実施形態の液状糊容器の断面図である。図１において、１は液状糊を示しており、２は液状糊を収容した容器本体を示している。容器本体２は、例えば樹脂によって形成されている。好ましくは、容器本体２内に収容された液状糊１の残量を外部から視認できるようにするために、容器本体２は透明な材料によって形成されている。
【００４０】
また、図１において、３は容器本体２内に収容された液状糊１を被塗布物（図示せず）に塗布するための塗布部材を示している。塗布部材３は、例えばスポンジのような、液状糊１を保持可能な材料によって形成されている。詳細には、第１の実施形態の液状糊容器では、塗布部材３の一部が液状糊１に浸漬せしめられると、塗布部材３のうち、液状糊１に浸漬せしめられていない部分にも、毛細管現象によって液状糊１が保持される。
【００４１】
更に、図１において、４は容器本体２に対して塗布部材３を固定するために容器本体２の上側に配置された固定部材を示している。固定部材４は、例えば樹脂によって形成されている。好ましくは、容器本体２内に収容された液状糊１の残量を外部から視認できるようにするために、固定部材４は透明な材料によって形成されている。
【００４２】
また、図１において、６は容器本体２に対して螺合結合可能な蓋部材を示している。蓋部材６は、例えば樹脂によって形成されている。第１の実施形態の液状糊容器では、蓋部材６が容器本体２に対して螺合結合可能に構成されているが、第２の実施形態の液状糊容器では、代わりに、蓋部材６を容器本体２に対してスナップフィット式に着脱可能に構成することも可能である。また、第３の実施形態の液状糊容器では、代わりに、蓋部材６がヒンジによって容器本体２に対して開閉できるように構成することも可能である。
【００４３】
第１の実施形態の液状糊容器の不使用時には、図１に示すように、蓋部材６が容器本体２に螺合結合せしめられ、その結果、液状糊１、塗布部材３および固定部材４が、蓋部材６によって覆われている。
【００４４】
一方、第１の実施形態の液状糊容器の使用時には、例えば机上に容器本体２が載置され、蓋部材６が容器本体２から取り外される。その結果、塗布部材３の上面が露出せしめられる。次いで、被塗布物が塗布部材３の上面に当接せしめられ、それにより、液状糊１が被塗布物に塗布される。
【００４５】
第１の実施形態の液状糊容器では、液状糊容器の使用時に容器本体２を上下逆向きにしなくても液状糊１が塗布部材３に保持されているようにするために、図１に示すように、塗布部材３の一部が液状糊１に浸漬せしめられている。更に、被塗布物（図示せず）が塗布部材３の上面に当接せしめられるのを容易にするために、塗布部材３の上面が、容器本体２の上端部より上側に突出せしめられている。詳細には、塗布部材３の上面が、固定部材４の上面より上側に突出せしめられている。
【００４６】
図２は図１に示した容器本体２の部品図である。詳細には、図２（Ａ）は容器本体２の平面図、図２（Ｂ）は容器本体２の横断面図である。図２に示すように、容器本体２は、液状糊１を収容する容器の底部分として機能する底部２ａと、液状糊１を収容する容器の側壁部分として機能する側壁部２ｂと、脚部２ｃとによって構成されている。
【００４７】
図２において、２ａ１は底部２ａの上面を示しており、２ａ２は底部２ａの下面を示している。図２に示すように、底部２ａの上面２ａ１は、水平部分２ａ１ａと、傾斜部分２ａ１ｂとによって構成されている。水平部分２ａ１ａは容器本体２の中心側、つまり、内側に配置されており、傾斜部分２ａ１ｂは水平部分２ａ１ａの外側に配置されている。また、傾斜部分２ａ１ｂは、容器本体２内の液状糊１の残量が少ない時に、容器本体２内の液状糊１を内側（中心側）に移動させて塗布部材３（図１参照）に保持させるために、内側に傾斜せしめられている。つまり、容器本体２の底部２ａの上面２ａ１の外側部分（傾斜部分２ａ１ｂ）がテーパ状に形成されている。換言すれば、塗布部材３（図１参照）を支持するための支持面としての上面２ａ１の外径が、塗布部材３（図１参照）の外径より大きくされ、上面２ａ１のうち、塗布部材３（図１参照）の外縁より外側に位置する傾斜部分２ａ１ｂが、内側（中心側）に傾斜せしめられている。更に、底部２ａの下面２ａ２には、底部２ａを補強するための補強用リブ２ａ２ａが形成されている。
【００４８】
また、図２において、２ｂ１は側壁部２ｂの内周面を示しており、２ｂ２は側壁部２ｂの外周面に形成された雄ねじ部を示しており、２ｂ３は側壁部２ｂの上端部を示しており、２ｃ１は脚部２ｃの下端部を示している。
【００４９】
図３は図１に示した塗布部材３の部品図である。詳細には、図３（Ａ）は塗布部材３の後側面図、図３（Ｂ）は塗布部材３の平面図、図３（Ｃ）は塗布部材３の左側面図、図３（Ｄ）は塗布部材３の斜視図である。第１の実施形態の液状糊容器では、図３に示す塗布部材３が、図１および図２に示すように、容器本体２の底部２ａの上面２ａ１の水平部分２ａ１ａ上に載置せしめられ、傾斜部分２ａ１ｂ上には載置せしめられない。
【００５０】
図３において、３ａは容器本体２内の液状糊１（図１参照）に直接浸漬せしめられない塗布部材３の上側部分を示しており、３ｂは容器本体２内の液状糊１（図１参照）に直接浸漬せしめられる塗布部材３の下側部分を示している。上述したように、第１の実施形態の液状糊容器では、例えばスポンジのような、液状糊１を保持可能な材料によって塗布部材３が形成されているため、図１および図３に示すように、塗布部材３の下側部分３ｂが液状糊１に浸漬せしめられると、毛細管現象によって塗布部材３の上側部分３ａにも液状糊１が保持される。
【００５１】
また、図３において、３ｃは塗布部材３の上面を示しており、３ｄは塗布部材３の側面を示しており、３ｅは塗布部材３の下面を示している。図３に示すように、塗布部材３の上面３ｃには、複数の溝３ｃ１が形成され、それにより、塗布部材３の上面３ｃに凹凸が形成されている。また、塗布部材３の下面３ｅには、上面３ｃの溝３ｃ１と直交する複数の溝３ｅ１が形成されている。更に、塗布部材３には、上面３ｃと下面３ｅとを連通する穴３ｆが形成されている。詳細には、図３（Ｃ）に示すように、この穴３ｆは、下面３ｅに形成された複数の溝３ｅ１のうちの１つと連通せしめられている。換言すれば、第１の実施形態の液状糊容器では、塗布部材３の上面３ｃが、穴３ｆおよび溝３ｅ１を介して側面３ｄと連通せしめられている。
【００５２】
そのため、第１の実施形態の液状糊容器では、図１および図３に示すように、容器本体２内の液状糊１が毛細管現象によって塗布部材３の上面３ｃに補給されると、塗布部材３の上面３ｃに補給された液状糊１の量に相当する量の空気が、容器本体２の外側から塗布部材３の上面３ｃ、穴３ｆ、溝３ｅ１および側面３ｄを介して容器本体２の内側に移動せしめられる。それゆえ、第１の実施形態の液状糊容器によれば、容器本体２の内側の空間の圧力が低下するのに伴って、容器本体２内の液状糊１が塗布部材３の上面３ｃに補給されづらくなってしまうのを回避することができる。
【００５３】
第１の実施形態の液状糊容器では、図３に示すように、複数の溝３ｃ１を形成することにより塗布部材３の上面３ｃに凹凸が形成されているが、第４の実施形態の液状糊容器では、代わりに、例えば複数の円ボスを形成することにより塗布部材３の上面３ｃに凹凸を形成することも可能である。
【００５４】
図４は図１に示した固定部材４の部品図である。詳細には、図４（Ａ）は固定部材４の平面図、図４（Ｂ）は固定部材４の正面図、図４（Ｃ）は固定部材４の横断面図である。図４に示すように、固定部材４は、容器本体２内の液状糊１（図１参照）を覆うための天井部４ａと、容器本体２の側壁部２ｂの内周面２ｂ１（図２参照）に対して圧入せしめられる側壁部４ｂとによって構成されている。
【００５５】
図４において、４ａ１は固定部材４の天井部４ａの上面を示しており、４ａ１ａは天井部４ａの上面４ａ１の内縁部を示している。図４に示すように、この内縁部４ａ１ａは、塗布部材３（図１参照）から固定部材４の天井部４ａの上面４ａ１上に溢れ出た液状糊１（図１参照）を内側（中心側）に移動させて塗布部材３に保持させるために、内側に傾斜せしめられている。つまり、第１の実施形態の液状糊容器では、固定部材４の天井部４ａの上面４ａ１の内縁部４ａ１ａがテーパ状に形成されている。
【００５６】
また、図４において、４ａ２は天井部４ａの内周面を示している。この内周面４ａ２は、塗布部材３の側面３ｄ（図３参照）と協働して締まり嵌めを構成している。つまり、図１および図４に示すように、塗布部材３は、固定部材４の天井部４ａの内周面４ａ２によって拘持されている。
【００５７】
更に、図４において、４ａ３は液状糊１を容器本体２（図１参照）内に補給するための補給用穴を示しており、４ａ４は補給用穴４ａ３を塞ぐ栓部材５（図５参照）を固定部材４に対して固定するための固定用穴を示しており、４ｂ１は側壁部４ｂの外周面を示している。この外周面４ｂ１は、容器本体２の側壁部２ｂの内周面２ｂ１（図２参照）と協働して締まり嵌めを構成している。つまり、図１、図２および図４に示すように、固定部材４は、容器本体２の側壁部２ｂの内周面２ｂ１によって拘持されている。
【００５８】
図５は栓部材５を拡大して示した部品図である。詳細には、図５（Ａ）は栓部材５の平面図、図５（Ｂ）は栓部材５の正面図である。図５において、５ａは固定部材４の補給用穴４ａ３（図４参照）に圧入せしめられる栓部を示しており、５ｂは固定部材４の固定用穴４ａ４（図４参照）に圧入せしめられる固定部を示している。５ｃは補給用穴４ａ３（図４参照）から栓部５ａを取り外す時に把持されるグリップ部を示している。第１の実施形態の液状糊容器では、例えばゴムのような弾性変形可能な材料によって栓部材５が形成されている。
【００５９】
図６は図１に示した蓋部材６の部品図である。詳細には、図６（Ａ）は蓋部材６の平面図、図６（Ｂ）は蓋部材６の正面図、図６（Ｃ）は蓋部材６の横断面図である。図６に示すように、蓋部材６は、天井部６ａと側壁部６ｂとによって構成されている。図６において、６ａ１は天井部６ａの上面を示しており、６ａ１ａは天井部６ａの上面６ａ１の外縁部を示している。図１、図２および図６に示すように、この外縁部６ａ１ａは容器本体２の脚部２ｃの下端部２ｃ１を収容するために凹状に形成されている。つまり、蓋部材６の天井部６ａの上面６ａ１の外縁部６ａ１ａと、容器本体２の脚部２ｃの下端部２ｃ１とは、相補形状に形成されている。そのため、図１に示した第１の実施形態の液状糊容器を複数個、安定して積み重ねることができる。
【００６０】
また、図６において、６ａ２は蓋部材６が容器本体２（図１参照）に螺合結合せしめられた時に塗布部材３の穴３ｆ（図３参照）と嵌合せしめられるピンを示している。このピン６ａ２の外径は塗布部材３の穴３ｆ（図３参照）の内径より大きくされている。そのため、図１に示すように、塗布部材３の穴３ｆ（図３参照）に蓋部材６のピン６ａ２（図６参照）が嵌合せしめられると、塗布部材３の穴３ｆが塗布部材３の穴３ｆ以外の部分と同様に気密に維持される。つまり、図１に示すように、塗布部材３の穴３ｆ（図３参照）に蓋部材６のピン６ａ２（図６参照）が嵌合せしめられると、容器本体２内の液状糊１（図１参照）が塗布部材３の下面３ｅの溝３ｅ１および穴３ｆ（図３参照）を介して塗布部材３の上面３ｃの側に漏れ出してしまうのが回避される。また、図６に示すように、このピン６ａ２は蓋部材６の中心に配置されている。詳細には、ピン６ａ２は、容器本体２（図１参照）に対して螺合結合せしめられる蓋部材６の回転中心上に配置されている。
【００６１】
第１の実施形態の液状糊容器では、図６に示すように、蓋部材６の天井部６ａの上面６ａ１と、ピン６ａ２とが一部材によって形成されているが、第５の実施形態の液状糊容器では、蓋部材６の天井部６ａの上面６ａ１と、ピン６ａ２とを別部材によって形成し、例えば圧入、螺合結合などによって蓋部材６の天井部６ａの上面６ａ１に対してピン６ａ２を固定することも可能である。
【００６２】
更に、図６において、６ａ３は蓋部材６が容器本体２（図１参照）に螺合結合せしめられた時に固定部材４の天井部４ａの上面４ａ１（図４参照）と協働してシール部を構成するための突起を示している。６ｂ１は側壁部６ｂの内周面に形成された雌ねじ部を示しており、６ｂ２は側壁部６ｂの外周面を示している。図６に示すように、側壁部６ｂの外周面６ｂ２には、容器本体２（図１参照）から蓋部材６を取り外す時における蓋部材６のグリップ力を向上させるためのリブ６ｂ２ａが設けられている。
【００６３】
上述したように、第１の実施形態の液状糊容器では、容器本体２内に収容された液状糊１を塗布するための塗布部材３（図１参照）が、例えばスポンジのような液状糊１を保持可能な材料によって形成されている。また、塗布部材３の下側部分３ｂ（図３参照）が、容器本体２内に収容された液状糊１に浸漬せしめられている。そのため、液状糊１に浸漬せしめられていない塗布部材３の上側部分３ａ（図３参照）にも、毛細管現象によって液状糊１が保持されている。更に、液状糊１が保持されている塗布部材３の上面３ｃ（図３参照）が、容器本体２の側壁部２ｂの上端部２ｂ３（図２参照）および固定部材４の天井部４ａの上面４ａ１（図４参照）より上側に突出せしめられている。
【００６４】
そのため、第１の実施形態の液状糊容器によれば、使用者は、容器本体２を把持する必要なく、塗布部材３の上面３ｃ（図３参照）に被塗布物（図示せず）を当接させることにより、塗布部材３の上面３ｃ（図３参照）に保持されている液状糊１を被塗布物（図示せず）に塗布することができる。詳細には、容器本体２内に収容された液状糊が毛細管現象によって塗布部材３の上面３ｃ（図３参照）に補給し続けられるため、使用者は、容器本体２を把持することなく例えば机上に載置したままで、液状糊１を被塗布物（図示せず）に塗布し続けることができる。
【００６５】
また、第１の実施形態の液状糊容器では、図３に示したように、塗布部材３の上面３ｃと下面３ｅとを連通する穴３ｆが形成され、その穴３ｆと塗布部材３の側面３ｄとを連通する溝３ｅ１が形成されている。つまり、第１の実施形態の液状糊容器では、容器本体２内に収容された液状糊１（図１参照）が毛細管現象によって塗布部材３の上面３ｃに補給されると、塗布部材３の上面３ｃに補給された液状糊１の量に相当する量の空気が、容器本体２の外側から塗布部材３の穴３ｆおよび溝３ｅ１を介して容器本体２の内側に移動せしめられる。そのため、容器本体２の内側の空間の圧力が低下するのに伴って、容器本体２内に収容された液状糊１が塗布部材３の上面３ｃに補給されづらくなってしまうのを回避することができる。
【００６６】
更に、第１の実施形態の液状糊容器では、図３に示したように、塗布部材３の上面３ｃに凹凸が形成されている。そのため、液状糊１が塗布された被塗布物（図示せず）を塗布部材３の上面３ｃから容易に剥がすことができる。
【００６７】
また、第１の実施形態の液状糊容器では、図４および図５に示したように、容器本体２に対して塗布部材３（図１参照）を固定するために容器本体２の上側に配置された固定部材４に補給用穴４ａ３が形成され、その補給用穴４ａ３を塞ぐための栓部材５が設けられている。つまり、第１の実施形態の液状糊容器の使用時には、固定部材４の補給用穴４ａ３が栓部材５によって塞がれ、容器本体２内に収容された液状糊１がその補給用穴４ａ３を介して容器本体２の外側に漏れ出してしまうのが回避されている。一方、第１の実施形態の液状糊容器の液状糊１の補給時には、栓部材５が補給用穴４ａ３から取り外され、その補給用穴４ａ３を介して液状糊１が容器本体２内に補給される。そのため、第１の実施形態の液状糊容器によれば、塗布部材３（図１参照）を容器本体２から取り外す必要なく、液状糊１を容器本体２内に補給することができる。すなわち、使用者が塗布部材３に触れて手を汚す必要なく、液状糊１を容器本体２内に補給することができる。
【００６８】
更に、第１の実施形態の液状糊容器では、上述したように、容器本体２に対して塗布部材３を固定するために容器本体２の上側に配置された固定部材４（図１参照）および容器本体２が透明な材料によって形成されている。そのため、容器本体２内に収容された液状糊１の残量を容易に確認することができる。
【００６９】
また、第１の実施形態の液状糊容器では、図６に示したように、容器本体２（図１参照）に対して螺合結合可能な蓋部材６の外周面６ｂ２にリブ６ｂ２ａが設けられている。そのため、螺合結合せしめられた容器本体２と蓋部材６とが液状糊１によって固着している場合であっても、容器本体２と蓋部材６とを容易に分離することができる。
【００７０】
更に、第１の実施形態の液状糊容器では、図１に示したように、塗布部材３を覆うために設けられた蓋部材６の上面６ａ１の外縁部６ａ１ａ（図６参照）と、容器本体２の脚部２ｃの下端部２ｃ１（図２参照）とが相補形状に形成されている。そのため、複数の液状糊容器を積み重ねることができる。
【００７１】
また、第１の実施形態の液状糊容器では、図２に示したように、容器本体２の底部２ａの下面２ａ２に補強用リブ２ａ２ａが設けられている。そのため、多数の液状糊容器が積み重ねられるのに伴って、容器本体２の底部２ａが変形してしまうのを抑制することができる。
【００７２】
更に、第１の実施形態の液状糊容器では、図４に示したように、容器本体２に対して塗布部材３（図１参照）を固定するために容器本体２の上側に配置された固定部材４の上面４ａ１の内縁部４ａ１ａがテーパ状に形成されている。詳細には、固定部材４の上面４ａ１の内縁部４ａ１ａが塗布部材３（図１参照）の側に傾斜せしめられている。そのため、塗布部材３から滲み出た液状糊１を塗布部材３に戻すことができる。
【００７３】
また、第１の実施形態の液状糊容器では、図６に示したように、塗布部材３（図１参照）を覆うための蓋部材６が設けられ、塗布部材３の穴３ｆ（図３参照）と嵌合可能なピン６ａ２がその蓋部材６に設けられている。そのため、液状糊容器の不使用時に、蓋部材６によって塗布部材３を覆っておくことにより、塗布部材３の穴３ｆに蓋部材６のピン６ａ２が嵌合せしめられ、それにより、塗布部材３の穴３ｆ内で液状糊１が固着してしまうのを回避することができる。
【００７４】
更に、第１の実施形態の液状糊容器では、図６に示したように、蓋部材６のピン６ａ２が蓋部材６の中心に配置されている。詳細には、塗布部材３が蓋部材６によって覆われると、塗布部材３の穴３ｆ（図３参照）が蓋部材６のピン６ａ２と嵌合せしめられるように、蓋部材６のピン６ａ２が蓋部材６の中心に配置されている。そのため、塗布部材３に対する蓋部材６の回転方向位置を調整する必要なく、塗布部材３の穴３ｆに蓋部材６のピン６ａ２を嵌合させることができる。
【００７５】
また、第１の実施形態の液状糊容器では、上述したように、蓋部材６のピン６ａ２（図６参照）の外径が塗布部材３の穴３ｆ（図３参照）の内径より大きくされている。そのため、液状糊容器の不使用時に、蓋部材６によって塗布部材３を覆っておくことにより、塗布部材３の穴３ｆにピン６ａ２が嵌合せしめられ、それにより、塗布部材３の穴３ｆが塗布部材３の穴３ｆ以外の部分と同様に気密に維持される。その結果、液状糊容器の不使用時に液状糊容器が上下逆向きにされた場合であっても、塗布部材３の穴３ｆから液状糊１（図１参照）が漏れ出してしまうのを回避することができる。
【００７６】
更に、第１の実施形態の液状糊容器では、図４および図６に示したように、固定部材４の上面４ａ１と協働してシール部を構成するための突起６ａ３が、塗布部材３（図１参照）を覆うための蓋部材６に設けられている。そのため、液状糊容器の不使用時に、蓋部材６によって塗布部材３を覆っておくことにより、固定部材４の上面４ａ１と蓋部材６の突起６ａ３とが協働せしめられシール部が構成される。それにより、固定部材４と蓋部材６との間がシールされる。その結果、液状糊容器の不使用時に液状糊容器が上下逆向きにされた場合であっても、固定部材４と蓋部材６との間から液状糊１（図１参照）が漏れ出してしまうのを回避することができる。
【００７７】
また、第１の実施形態の液状糊容器では、図１および図２に示したように、塗布部材３を支持するために容器本体２に形成された底部２ａの上面２ａ１の外径が塗布部材３の外径より大きくされ、その上面２ａ１のうち、塗布部材３の外縁より外側の部分に傾斜部分２ａ１ｂが設けられている。そのため、容器本体２内の液状糊１の残量が少ない時に、その傾斜を利用して容器本体２内の液状糊１を内側に移動させ、塗布部材３に保持させることができる。
【００７８】
第６の実施形態の液状糊容器では、上述した第１から第５の実施形態の液状糊容器を適宜組合わせることも可能である。
【図面の簡単な説明】
【００７９】
【図１】第１の実施形態の液状糊容器の断面図である。
【図２】図１に示した容器本体２の部品図である。
【図３】図１に示した塗布部材３の部品図である。
【図４】図１に示した固定部材４の部品図である。
【図５】栓部材５を拡大して示した部品図である。
【図６】図１に示した蓋部材６の部品図である。
【符号の説明】
【００８０】
１          液状糊
２          容器本体
２ａ１      上面
２ａ１ａ    水平部分
２ａ１ｂ    傾斜部分
２ａ２      下面
２ａ２ａ    補強用リブ
２ｂ        側壁部
２ｂ１      内周面
２ｂ２      雄ねじ部
２ｂ３      上端部
２ｃ        脚部
２ｃ１      下端部
３          塗布部材
３ａ        上側部分
３ｂ        下側部分
３ｃ        上面
３ｃ１      溝
３ｄ        側面
３ｅ        下面
３ｅ１      溝
３ｆ        穴
４          固定部材
４ａ        天井部
４ａ１      上面
４ａ１ａ    内縁部
４ａ２      内周面
４ａ３      補給用穴
４ａ４      固定用穴
４ｂ        側壁部
４ｂ１      外周面
５          栓部材
５ａ        栓部
５ｂ        固定部
５ｃ        グリップ部
６          蓋部材
６ａ        天井部
６ａ１      上面
６ａ１ａ    外縁部
６ａ２      ピン
６ａ３      突起
６ｂ        側壁部
６ｂ１      雌ねじ部
６ｂ２      外周面
６ｂ２ａ    リブ
【図１】
2007021785.tif 000003
【図２】
2007021785.tif 000004
【図３】
2007021785.tif 000005
【図４】
2007021785.tif 000006
【図５】
2007021785.tif 000007
【図６】
2007021785.tif 000008